(57)【要約】【課題】  動力式回転工具を使ってロックウール天井板のような表面硬度の低い板状体をビス止め施工する場合であっても、板状体の表面を傷つけたり、凹ませたりせずに、誰でも簡単に、かつ正確にスピーディーに施工することができる動力式回転工具用アタッチメントを提供することを目的とする【解決手段】  スクリュードライバー等の動力式回転工具の先端部に設けるアタッチメントＡであって、面板部１と取付部２とからなり、面板部１の表面には軟質部３を備えている。【選択図】  図２
2009039789.tif 000002
【特許請求の範囲】
【請求項１】
スクリュードライバー等の動力式回転工具に設けるアタッチメントであって、面板部と取付部とからなり、面板部の表面には軟質部を備えていることを特徴とする動力式回転工具用アタッチメント。
【請求項２】
取付部が磁性を帯びていることを特徴とする請求項１に記載の動力式回転工具用アタッチメント。
【請求項３】
面板部と軟質部が透明または半透明の材質であることを特徴とする請求項１または２に記載の動力式回転工具用アタッチメント。
【発明の詳細な説明】
【技術分野】
【０００１】
本発明は、動力式回転工具を用いて天井板等の材料をビス止め施工する際に、天井板表面に凹みやキズがつくのを防止するための、スクリュードライバー等の動力式回転工具に取り付けるアタッチメントに関する。
【背景技術】
【０００２】
従来より、床材や壁材、ロックウール天井板等の板状体を施工する際には、表面からビスをねじ込んで下地に止めることがあるが、例えばロックウール天井板は表面硬度が低いために、傷つきやすく、凹み易い。そのため、図４に示すようにスクリュードライバーに傷防止用のゴムキャップを取り付けてビスをねじ込むことが行われている。しかし、ゴムキャップは板状体表面との接触面積が狭く、施工時に板状体と強く接触した場合には、板状体の表面に傷がついたり、あるいは、ねじ込み調整がうまく出来ずにねじ込み過ぎたり、逆にビスネジ頭が出っ張ったりすることがあり、注意を必要とした。実務上ではこれらのことを配慮し、ビスネジ頭がめり込む直前でスクリュードライバーの使用を止めて、残りの仕上げは手動でねじ込むという作業をしており、非常に施工性が悪いものであった。
【０００３】
一方、スクリュードライバーを利用してビスをねじ込む際の補助部品として、例えば、特許文献１ではビスやネジのねじ込み加減が調節されるような調節具が提案されている。これによると、ねじ込み加減が調節されるため、ねじ込み過ぎてビスネジ頭が沈んだり、あるいはねじ込みが足らずにビスネジ頭が出っ張ったりしないことが可能というものである。しかし、この調節具ではドライバビットを囲うように円筒形状になっており、板状体に当接する箇所は輪円形の線接触のため、特にロックウール天井板のような表面硬度が低い板状体をビス止めする場合において、調節具を当てる際に力を入れすぎると、調節具により板状体表面が凹んでしまうだけでなく、それによりねじ込み加減の調節が不適になることがあった。
【特許文献１】特開平９−１４１５６１号公報
【発明の開示】
【発明が解決しようとする課題】
【０００４】
本発明は、かかる問題点に鑑みなされたもので、ロックウール天井板のような表面硬度の低い板状体をビス止め施工する場合であっても、表面を傷つけず、凹ませず、誰でも簡単に、かつ正確にスピーディーに施工できる動力式回転工具用アタッチメントを提供することを目的とする。
【課題を解決するための手段】
【０００５】
上記目的を達成するために、請求項１に係る発明の動力式回転工具用アタッチメントは、面板部と取付部とからなり、面板部の表面には軟質部を備えていることを特徴とする。
【０００６】
また、請求項２に係る発明は、面板部と取付部とからなる請求項１の動力式回転工具用アタッチメントにおいて、取付部が磁性を帯びていることを特徴とする。
【０００７】
また、請求項３に係る発明は、請求項１または２の動力式回転工具用アタッチメントにおいて、面板部と軟質部が透明または半透明の材質であることを特徴とする。
【発明の効果】
【０００８】
請求項１に係る発明の動力式回転工具用アタッチメントは、面板部と取付部とからなり、面板部の表面には軟質部を備えているので、取付部をスクリュードライバー等の動力式回転工具の先端部に後から簡便に取り付け、取り外しができる。
また、アタッチメントを動力式回転工具に取り付けて、床材や壁材、ロックウール天井板等の板状体をビスで取付施工する場合には、ビスをねじ込んでいくうちに板状体表面とアタッチメントにおける軟質部を介して面板部が当接することになるが、それは面接触となって、集中的な圧力がかからないので、板状体が表面硬度の低いロックウール天井板であっても凹みにくい。
また、面板部の表面に軟質部が備えられているので、表面硬度の低いロックウール天井板のような板状体表面であっても、軟質部が有する弾力性能によって傷がつきにくい。更には、軟質部を介して面板部が板状体に当接することにより、アタッチメントが板状体に深くめり込むことが防止されるので、ビスをねじ込み過ぎず、かつ、ビスネジ頭が飛び出すこともなく、確実に所定の深さまでねじ込むことができる。
そして、上記のように板状体が凹みにくく、傷つきにくく、また、ビスを確実に所定の深さにねじ込むことができるので、施工スピードが格段に向上する。
【０００９】
また、請求項２に係る発明の動力式回転工具用アタッチメントは、請求項１の発明において、取付部が磁性を帯びているので、請求項１の発明の効果に加えて、取り付ける箇所となる動力式回転工具の先端部が金属製であれば、その磁力により確実に付着固定することができる。また、付着固定されることで、施工時に動力式回転工具を上に向けたり下に向けたりしても通常では外れることがないので、施工作業がより一層良好確実に行うことができる。更には、当該取付部は磁性を帯びているだけであって、機構が複雑でないので、動力式回転工具からの取り外しも簡便にできる。
【００１０】
また、請求項３に係る発明の動力式回転工具用アタッチメントは、請求項１または２の発明において、面板部と軟質部が透明または半透明の材質であるので、請求項１または２の発明の効果に加えて、ビスのねじ込み時に面板部と軟質部を通してビスが目視可能になり、ねじ込みたい箇所に正確に、かつ、垂直にねじ込むことができ、作業性が格段に向上する。
【発明を実施するための最良の形態】
【００１１】
以下、本発明を実施するための実施形態を図面に基づき説明する。尚、本発明は本実施形態の記載内容に限られるものではない。
【００１２】
（実施形態）
図１は、本実施形態に係る動力式回転工具用アタッチメントＡの正面図と側面図を示す。動力式回転工具用アタッチメントＡは、面板部１と取付部２とからなり、面板部１の表面には、軟質部３が備わっている。また、取付部２端部から面板部１表面に向かって、中央孔４が空いている。図２は、動力式回転工具用アタッチメントＡをスクリュードライバー５の先端部６に取り付けた、動力式回転工具用アタッチメントＡの使用状態を示す斜視図である。図３は、動力式回転工具用アタッチメントＡを設けたスクリュードライバー５を用いて、板状体７をビス８で止める施工する場合の使用状態を示す部分断面図である。
【００１３】
（面板部）
上記面板部１は、ロックウール天井板等の板状体７に向かってビス８をねじ込む作業時に、軟質部３を介して板状体７に当接させることでビス８のねじ込みが終了となるようにするためのものであり、板状体７への当接時において面接触となって力が分散されるような板形状であればよく、円形、楕円形、略正方形、略長方形等、その形状において特に制限はない。また、面板部１の略中心部においては、ドライバビット９の先端が取付部２の内部を通って面板部１及び軟質部３表面から突出できるように、中央孔４が空いている。
【００１４】
面板部１の材質は、鉄、ステンレス、アルミ等の金属、硬質樹脂、無機質板や木質板等の硬質材料がよい。軟質材料であると、ねじ込み施工時において軟質部３を介して板状体７に当接すると、面板部１が湾曲してしまって集中荷重がかかり、板状体７の表面に凹みやキズが生じてしまうからである。なお、特に硬質樹脂の場合には、透明あるいは半透明の材質のものであれば、ねじ込むビス８の様子が面板部１を通して目視で確認できるので、なお良い。
【００１５】
面板部１の大きさは、接触面積や作業能率を考慮したものとする。例えば円形であるならば、直径２０ｍｍ〜４０ｍｍが望ましい。２０ｍｍより小さいと、接触面積が小さくなり力が分散されず、板状体７を凹ませたりする恐れがあるからであり、４０ｍｍよりも大きいと、ねじ込み初期のビスネジ頭が作業者の視角から大きく外れて作業がし難くなる。但し、面板部１が透明あるいは半透明の材質のものであれば面板部１を通して視角が確保できるために直径６０ｍｍまでは可能である。しかしながら、直径６０ｍｍを超えると取り回しがし難くなり、作業能率が低下する。
【００１６】
（軟質部）
上記軟質部３は、板状体７に面板部１を直接接触させてキズをつけないようにするものであり、面板部１の表面に設けられる。大きさや形状は面板部１と略同程度でもよいし、部分的に備わっている程度でもよい。また、略中心部においては、ドライバビット９の先端が取付部２の内部を通って面板部１及び軟質部３表面から突出できるように、中央孔４が空いている。但し、略中央部箇所を避けるように設けることのできる形状（例えば、複数に分割されたような形状）であれば、孔の有無は問わない。材質は、例えばゴム、軟質樹脂、不織布等の軟質材料がよい。軟質樹脂であれば、面板部１と共に透明あるいは半透明のものとすると、面板部１と軟質部３を通してねじ込むビス８の様子が目視で確認できるので、なお良い。
【００１７】
（取付部）
上記取付部２は、アタッチメントをスクリュードライバー等の動力式回転工具の先端部６に設けるためのものであり、片側には面板部１が備わっている。また、略中心部においては、ドライバビット９の先端が取付部２の内部を通って面板部１及び軟質部３表面から突出できるように、中央孔４が空いている。
【００１８】
取付部２はスクリュードライバー５の先端部６に固定できればよいので、スクリュードライバー５の先端部６に合う形状であればよい。また、着脱自在となる形状あるいは機構であればなお良い。例えば、先端部６の内径に取付部２の外径が接触するように差し込む形状でもよいし、先端部６の外径にアタッチメントの内径が接触するように被さる形状でもよい。材質は鉄、ステンレス、アルミ等の金属や硬質樹脂等の硬質材料がよい。また、簡単に外れないように、硬質ゴムのような接触摩擦係数の高い材料としたり、部分的に突起やジャバラ等の引っ掛かり部を適宜設けることもできる。
【００１９】
取付部２に磁性を帯びさせると、スクリュードライバー５の先端部６が金属製であれば付着固定しやすくなる。また、複雑な機構を必要としないため、取り外しも簡便になるのでよい。磁性を帯びさせるとは、取付部２そのものに磁性を帯びさせたり、あるいは取付部２に磁石を付着させることでも得られる。
【００２０】
（施工手順）
次に、本願発明に係る動力式回転工具用アタッチメントＡを用いた、板状体７の施工手順を説明する。まず、（１）動力式回転工具用アタッチメントＡをスクリュードライバー５の先端部６に設ける。（２）通常の施工と同じ要領で、板状体７にビス８をねじ込んでいく。（３）板状体７に面板部１表面の軟質部３が、図３に示すように接触したら、ねじ込み終了である。
【００２１】
なお、動力式回転工具に取り付けられるドライバビット９は、アタッチメントの中央孔４を通ることになるが、ドライバビット９の先端は、（ドライバビット９を差し込むための）ビスネジ頭上に刻まれている＋や−の溝の深さ程度に面板部１及び軟質部３表面から突出していることが望ましい。先端が出すぎると、面板部１及び軟質部３が板状体７に当接するまでねじ込みが止まらないので、ビス８が深く入り過ぎる場合がある。逆に先端が引っ込みすぎると、ビス８が全てねじ込まれず、ビスネジ頭が板状体７から出っ張ってしまう。
【実施例】
【００２２】
次に、具体的に実施した実施例について説明する。
【００２３】
（実施例１）
取付部が鉄製で長さ８ｍｍ、直径１２．５ｍｍ、中央孔口径８．５ｍｍの円筒形状とし、面板部が鉄製で厚さ１．５ｍｍ、直径２５ｍｍ、中央孔口径８．５ｍｍの円盤形状であって、軟質部として厚さ１ｍｍのゴム製シートを面板部表面の略全面に取り付けて動力式回転工具用アタッチメントとした。
【００２４】
動力式回転工具用アタッチメントをスクリュードライバー（日立工機株式会社製：Ｗ５Ｍ）の先端部に取り付けた。このときドライバビットの先端は、アタッチメント表面よりも僅かに出ていた。
【００２５】
厚さ１２ｍｍのロックウール天井板（大建工業株式会社製：ダイロートン）を用意し、合板下地の上でビス（長さ２５ｍｍ）をスクリュードライバーでねじ込んだところ、ビスはねじ込み過ぎたり、逆にビスネジ頭が出っ張ることもなく、また、ロックウール天井板表面も凹んだりキズがついたりせずに、良好に施工することができた。
【００２６】
（実施例２）
取付部が鉄製で長さ８ｍｍ、直径１１ｍｍ、中央孔口径８ｍｍの円筒形状とし、面板部が鉄製で厚さ１．５ｍｍ、直径２５ｍｍ、中央孔口径８ｍｍの円盤形状であって、軟質部として厚さ１ｍｍのゴム製シートを面板部表面の略全面に取り付けて動力式回転工具用アタッチメントとした。
【００２７】
動力式回転工具用アタッチメントをスクリュードライバー（株式会社マキタ製：６８１５ｓｐ）の先端部に取り付けた。このときドライバビットの先端は、アタッチメント表面よりも僅かに出ていた。
【００２８】
厚さ１２ｍｍのロックウール天井板を用意し、合板下地の上でビス（長さ２５ｍｍ）をスクリュードライバーでねじ込んだところ、ビスはねじ込み過ぎたり、逆にビスネジ頭が出っ張ることもなく、また、ロックウール天井板表面も凹んだりキズがついたりせずに、良好にスピーディーに施工することができた。
【００２９】
（比較例１）
ロックウール天井板を用意し、合板下地の上でビス（長さ２５ｍｍ）を、先端部に円筒形状のゴムキャップ１０を付けたスクリュードライバーでねじ込んだところ、ビスをねじ込み過ぎたり、逆にビスネジ頭が出っ張ることがあった。また、ロックウール天井板表面も凹んだりキズがついたりすることがあった。また、ビスネジ頭が出っ張った場合には、別途手動でねじ込む必要があり、作業性が低いものであった。
【産業上の利用可能性】
【００３０】
以上説明したように、本発明は、スクリュードライバー等の動力式回転工具を用いて天井板等の材料をビス止め施工する際に、表面に凹みやキズがつくのを防止するために有用である。
【図面の簡単な説明】
【００３１】
【図１】本発明の実施形態である動力式回転工具用アタッチメントＡの正面図と側面図。
【図２】本発明の実施形態である動力式回転工具用アタッチメントＡをスクリュードライバーの先端部に取り付けた使用状態を示す斜視図。
【図３】本発明の使用状態を示す部分断面図。
【図４】ゴムキャップを適用した従来の使用状態を示す部分断面図。
【符号の説明】
【００３２】
Ａ                    動力式回転工具用アタッチメント
１                    面板部
２                    取付部
３                    軟質部
４                    中央孔
５                    スクリュードライバー
６                    先端部
７                    板状体
８                    ビス
９                    ドライバビット
１０                    ゴムキャップ
【図１】
2009039789.tif 000003
【図２】
2009039789.tif 000004
【図３】
2009039789.tif 000005
【図４】
2009039789.tif 000006